【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
ＨＥＶＣのスケーラブルビデオコーディング拡張にしたがってビデオ情報をコーディングするための装置であって、
１つまたは複数のレイヤに関連付けられたビデオ情報を記憶するためのメモリと、
前記メモリに動作可能に結合され、
複数のレイヤを含むビットストリーム中の現在のアクセスユニット（ＡＵ）をコーディングすることと、前記複数のレイヤは、第１のレイヤ識別子（ＩＤ）シンタックス要素ｎｕｈ＿ｌａｙｅｒ＿ｉｄを有する参照レイヤと、前記第１のレイヤＩＤよりも高い第２のレイヤＩＤシンタックス要素ｎｕｈ＿ｌａｙｅｒ＿ｉｄを有する少なくとも１つの対応するエンハンスメントレイヤとを含み、前記現在のＡＵは、２つ以上のシーケンス終了（ＥＯＳ）ネットワークアブストラクションレイヤ（ＮＡＬ）ユニットを含むことができ、
前記現在のＡＵにおいて、前記参照レイヤに関連付けられた第１のＥＯＳ  ＮＡＬユニットをコーディングすることと、前記第１のＥＯＳ  ＮＡＬユニットは、前記参照レイヤと同じ第１のレイヤＩＤシンタックス要素を有し、
前記現在のＡＵにおいて、前記エンハンスメントレイヤに関連付けられた第２のＥＯＳ  ＮＡＬユニットをコーディングすることと、前記第２のＥＯＳ  ＮＡＬユニットは、前記エンハンスメントレイヤと同じ第２のレイヤＩＤを有し、各レイヤはそれ自体のＥＯＳ  ＮＡＬユニットを有することができ、特定のレイヤ中のＥＯＳ  ＮＡＬユニットはそのレイヤのみに適用可能である、
を行うように構成されたハードウェアプロセッサと
を備える、装置。
【請求項２】
前記ハードウェアプロセッサは、
(i)前記第１のレイヤＩＤを有する前記第１のＥＯＳ  ＮＡＬユニットを含む前記現在のＡＵおよび(ii)前記第１のレイヤＩＤを有する第１のＩＲＡＰピクチャを含む後のＡＵ、に応答して、第１のＩＲＡＰピクチャの第１のＮｏＲａｓｌＯｕｔｐｕｔＦｌａｇを１に等しくさせることと、
(i)前記第２のレイヤＩＤを有する前記第２のＥＯＳ  ＮＡＬユニットを含む前記現在のＡＵおよび(ii)前記第２のＩＤを有する第２のＩＲＡＰピクチャを含む後のＡＵに応答して、第２のＩＲＡＰピクチャの第２のＮｏＲａｓｌＯｕｔｐｕｔＦｌａｇを１に等しくさせることと、
に基づいて前記現在のＡＵの後のＡＵをコーディングすること、
を行うようにさらに構成された、請求項１によるビデオ情報をコーディングするための装置。
【請求項３】
前記現在のＡＵの後のＡＵ中にあり、前記第１のＥＯＳ  ＮＡＬユニットと同じレイヤＩＤを有するピクチャは、瞬時復号リフレッシュ（ＩＤＲ）ピクチャ、切断リンクアクセス（ＢＬＡ）ピクチャ、またはクリーンランダムアクセス（ＣＲＡ）ピクチャのうちの１つまたは複数から選択されたイントラランダムアクセスポイント（ＩＲＡＰ）ピクチャである、請求項１に記載の装置。
【請求項４】
前記現在のＡＵの後のＡＵ中にあり、前記第２のＥＯＳ  ＮＡＬユニットと同じレイヤＩＤを有するピクチャは、ＩＤＲピクチャ、ＢＬＡピクチャ、またはＣＲＡピクチャのうちの１つまたは複数から選択されたＩＲＡＰピクチャである、請求項１に記載の装置。
【請求項５】
前記第１のＥＯＳ  ＮＡＬユニットは、前記参照レイヤと同じレイヤＩＤまたは前記参照レイヤよりも低いレイヤＩＤを有する、前記現在のＡＵ中の１つまたは複数のビデオコーディングレイヤ（ＶＣＬ）ユニットの後にあり、前記第１のＥＯＳ  ＮＡＬユニットは、前記現在のＡＵ中のいずれのビットストリーム終了ＮＡＬユニットにも先行する、請求項１に記載の装置。
【請求項６】
前記第２のＥＯＳ  ＮＡＬユニットは、前記エンハンスメントレイヤと同じレイヤＩＤまたは前記エンハンスメントレイヤよりも低いレイヤＩＤを有する、前記現在のＡＵ中の１つまたは複数のＶＣＬユニットの後にあり、前記第２のＥＯＳ  ＮＡＬユニットは、前記現在のＡＵ中のいずれのビットストリーム終了ＮＡＬユニットにも先行する、請求項１に記載の装置。
【請求項７】
ＨＥＶＣのスケーラブルビデオコーディング拡張にしたがってビデオ情報をコーディングする方法であって、
１つまたは複数のレイヤに関連付けられたビデオ情報を記憶することと、
複数のレイヤを含むビットストリーム中の現在のアクセスユニット（ＡＵ）をコーディングすることと、前記複数のレイヤは、第１のレイヤ識別子（ＩＤ）シンタックス要素ｎｕｈ＿ｌａｙｅｒ＿ｉｄを有する参照レイヤと、前記第１のレイヤＩＤよりも高い第２のレイヤＩＤシンタックス要素ｎｕｈ＿ｌａｙｅｒ＿ｉｄを有する少なくとも１つの対応するエンハンスメントレイヤとを含み、前記現在のＡＵは、２つ以上のシーケンス終了（ＥＯＳ）ネットワークアブストラクションレイヤ（ＮＡＬ）ユニットを含むことができ、
前記現在のＡＵにおいて、前記参照レイヤに関連付けられた第１のＥＯＳ  ＮＡＬユニットをコーディングすることと、前記第１のＥＯＳ  ＮＡＬユニットは、前記参照レイヤと同じ第１のレイヤＩＤシンタックス要素を有し、
前記現在のＡＵにおいて、前記エンハンスメントレイヤに関連付けられた第２のＥＯＳ  ＮＡＬユニットをコーディングすることと、前記第２のＥＯＳ  ＮＡＬユニットは、前記エンハンスメントレイヤと同じ第２のレイヤＩＤを有し、各レイヤはそれ自体のＥＯＳ  ＮＡＬユニットを有することができ、特定のレイヤ中のＥＯＳ  ＮＡＬユニットはそのレイヤのみに適用可能である、
を備える、方法。
【請求項８】
(i)前記第１のレイヤＩＤを有する前記第１のＥＯＳ  ＮＡＬユニットを含む前記現在のＡＵおよび(ii)前記第１のレイヤＩＤを有する第１のＩＲＡＰピクチャを含む後のＡＵ、に応答して、第１のＩＲＡＰピクチャの第１のＮｏＲａｓｌＯｕｔｐｕｔＦｌａｇを１に等しくさせることと、
(i)前記第２のレイヤＩＤを有する前記第２のＥＯＳ  ＮＡＬユニットを含む前記現在のＡＵおよび(ii)前記第２のＩＤを有する第２のＩＲＡＰピクチャを含む後のＡＵに応答して、第２のＩＲＡＰピクチャの第２のＮｏＲａｓｌＯｕｔｐｕｔＦｌａｇを１に等しくさせることと、
に基づいて前記現在のＡＵの後のＡＵをコーディングすること、
をさらに備える、請求項７に記載の方法。
【請求項９】
前記現在のＡＵの後のＡＵ中にあり、前記第１のＥＯＳ  ＮＡＬユニットと同じレイヤＩＤを有するピクチャは、瞬時復号リフレッシュ（ＩＤＲ）ピクチャ、切断リンクアクセス（ＢＬＡ）ピクチャ、またはクリーンランダムアクセス（ＣＲＡ）ピクチャのうちの１つまたは複数から選択されたイントラランダムアクセスポイント（ＩＲＡＰ）ピクチャである、請求項７に記載の方法。
【請求項１０】
前記現在のＡＵの後のＡＵ中にあり、前記第２のＥＯＳ  ＮＡＬユニットと同じレイヤＩＤを有するピクチャは、ＩＤＲピクチャ、ＢＬＡピクチャ、またはＣＲＡピクチャのうちの１つまたは複数から選択されたＩＲＡＰピクチャである、請求項７に記載の方法。
【請求項１１】
前記第１のＥＯＳ  ＮＡＬユニットは、前記参照レイヤと同じレイヤＩＤまたは前記参照レイヤよりも低いレイヤＩＤを有する、前記現在のＡＵ中の１つまたは複数のビデオコーディングレイヤ（ＶＣＬ）ユニットの後にあり、前記第１のＥＯＳ  ＮＡＬユニットは、前記現在のＡＵ中のいずれのビットストリーム終了ＮＡＬユニットにも先行する、請求項７に記載の方法。
【請求項１２】
前記第２のＥＯＳ  ＮＡＬユニットは、前記エンハンスメントレイヤと同じレイヤＩＤまたは前記エンハンスメントレイヤよりも低いレイヤＩＤを有する、前記現在のＡＵ中の１つまたは複数のＶＣＬユニットの後にあり、前記第２のＥＯＳ  ＮＡＬユニットは、前記現在のＡＵ中のいずれのビットストリーム終了ＮＡＬユニットにも先行する、請求項７に記載の方法。
【請求項１３】
コンピュータハードウェアを備えるプロセッサ上で実行されたとき、請求項７〜１２のいずれか一項に記載の方法を前記プロセッサに行わせる命令を備える、非一時的コンピュータ可読媒体。